(57)【要約】【課題】  周囲の人達に確実に報知することが可能な防犯システムを提供する。【解決手段】  防犯システムは、使用者が操作部１４を操作することにより携帯機１０に警報指令が入力されると、携帯機１０が緊急信号を生成して送信し、その緊急信号を受信した防犯装置４０が、警報装置５２を作動することでその周囲に警報（光及び警報音）を発する。このため、使用者が携帯機１０を操作した後に、犯罪者によって携帯機１０を奪われてしまったとしても、携帯機１０からの緊急信号を受信した防犯装置４０が警報を発することにより、その周囲にいる人達に、使用者が危険な状態にある旨を確実に知らせることができる。【選択図】  図１
2007122471.tif 000002
【特許請求の範囲】
【請求項１】
使用者により所持され、該使用者からの指令に従い緊急信号を無線にて送信する携帯機と、
該携帯機からの緊急信号を受信する受信手段、及び、該受信手段により前記緊急信号が受信されると周囲に警報を発する警報手段を有し、地域に分散して配置された複数の防犯装置と、
を備えたことを特徴とする防犯システム。
【請求項２】
前記警報手段は、前記受信手段により前記緊急信号が受信されると、警報音を発生することを特徴とする請求項１に記載の防犯システム。
【請求項３】
前記警報手段は、前記受信手段により前記緊急信号が受信されると、周囲に光を発することを特徴とする請求項１又は請求項２に記載の防犯システム。
【請求項４】
前記緊急信号には、該緊急信号を送信した携帯機を特定するための識別情報が含まれており、
前記防犯装置は、
前記受信手段により前記緊急信号が受信されると、その緊急信号に含まれている識別情報に基づき、前記緊急信号を送信した携帯機を特定して、その特定結果を記憶する記憶手段を備えていることを特徴とする請求項１ないし請求項３の何れか１項に記載の防犯システム。
【請求項５】
前記携帯機は、超音波を利用して、前記緊急信号を送信することを特徴とする請求項１ないし請求項４の何れか１項に記載の防犯システム。
【請求項６】
前記緊急信号を送信した携帯機と、前記緊急信号を受信することにより警報を発した防犯装置とを管理する管理センタを備え、
前記携帯機は、前記緊急信号を送信した旨を前記管理センタへ通知し、
前記防犯装置は、警報を発した旨を前記管理センタへ通知し、
前記管理センタは、前記携帯機及び前記防犯装置からの通知を取得し、その通知結果に基づき、前記携帯機と前記防犯装置とを管理することを特徴とする請求項１ないし請求項５の何れか１項に記載の防犯システム。
【発明の詳細な説明】
【技術分野】
【０００１】
本発明は、使用者が危険な状況におかれた際に使用される防犯システムに関する。
【背景技術】
【０００２】
従来より、防犯システムとして、犯罪を未然に防止するために、地域に分散して配置された自動販売機に通信装置を組み込み、使用者がその通信装置を利用することで、防犯センタに連絡することができるようにされたものが知られている（例えば、特許文献１参照）。
【０００３】
このような防犯システムによれば、使用者が不審者につけられることで危険を感じた際に通信装置を利用することによって、不審者に知られることなく防犯センタにその旨を通知することができる。
【特許文献１】特開平９−３５１３３号公報
【発明の開示】
【発明が解決しようとする課題】
【０００４】
しかしながら、従来の防犯システムでは、例えば使用者と管理センタ側の人との会話を聞くことにより逆上した不審者が実際に使用者を襲ってきた場合には、対応することができなかった。
【０００５】
このため、実際に使用者が不審者（犯罪者）に襲われた場合には、使用者が、大声で叫んだり周囲に警報音を発生する防犯ブザーを操作したりすることで、周囲の人達に助けを求めるしかなかった。
【０００６】
しかし、使用者が大声で助けを求めたとしても犯罪者に口をふさがれてしまった場合には、周囲の人達に確実に報知することができない。また、使用者が防犯ブザーを作動させたとしても犯罪者により防犯ブザーを奪われてそのブザーが壊されてしまった場合には、周囲の人達に確実に報知することができない。
【０００７】
本発明は、こうした問題を解決するためになされたものであり、使用者が危険な状態に陥った際に、その旨を周囲の人達に確実に報知することが可能な防犯システムを提供することを目的としている。
【課題を解決するための手段】
【０００８】
上記目的を達成するためになされた請求項１に記載の防犯システムは、使用者により所持され、使用者からの指令に従い緊急信号を無線にて送信する携帯機と、携帯機からの緊急信号を受信する受信手段、及び、受信手段により緊急信号が受信されると周囲に警報を発する警報手段を有し、地域に分散して配置された複数の防犯装置と、を備えたことを特徴としている。
【０００９】
このような請求項１に記載の防犯システムでは、携帯機が、使用者からの指令に従い緊急信号を送信すると、その緊急信号を受信した防犯装置が、その周囲に警報を発する。
このため、本発明の防犯システムによれば、使用者が携帯機を操作した後に、犯罪者によって携帯機を奪われてしまったとしても、携帯機からの緊急信号を受信した防犯装置が警報を発することにより、その周囲にいる人達に、使用者が危険な状態にある旨を確実に知らせることができる。
【００１０】
ところで、警報手段は、請求項２に記載のように、受信手段により緊急信号が受信されると警報音を発生するように構成されていても良いし、請求項３に記載のように、受信手段により緊急信号が受信されると周囲に光を発するように構成されていても良いし、その両方を行う（即ち、警報音及び光を発する）ように構成されていても良い。
【００１１】
このように構成されていれば、防犯装置（詳しくは警報手段）が警報音または光を発することで、使用者が危険な状態にあることを、その防犯装置の周囲にいる人達に知らせることができる。
【００１２】
次に、請求項４に記載の防犯システムは、請求項１〜３の何れかに記載の防犯システムにおいて、緊急信号には、その信号を送信した携帯機を特定するための識別情報が含まれており、防犯装置には、受信手段により緊急信号が受信されると、その緊急信号に含まれている識別情報に基づき、緊急信号を送信した携帯機を特定して、その特定結果を記憶する記憶手段が設けられていることを特徴としている。
【００１３】
このような請求項４に記載の防犯システムによれば、どの携帯機が防犯装置を作動させたのかを特定することができるので、当該防犯システムがいたずらに使用されることを防止することができる。
【００１４】
ところで、携帯機は、緊急信号を無線で送信するように構成されていれば良く、その無線媒体としては電波や光や音波などが挙げられるが、そのうち光は障害物に遮られてしまうことがある。
【００１５】
このため、携帯機は、電波や音波を利用して緊急信号を送信するように構成されていることが望ましい。
そして、音波を利用して緊急信号を送信するように携帯機を構成する場合には、可聴音の周波数帯を用いると、使用者が携帯機から緊急信号を送信させた際に、犯罪者に気付かれてしまう可能性が高くなるので、携帯機は、請求項５に記載のように、超音波を利用して緊急信号を送信するように構成されていると良い。
【００１６】
このようにされていれば、緊急信号として、人の耳に聞こえない周波数帯である超音波を利用するため、使用者が携帯機から緊急信号を送信させた際に犯罪者に気付かれてしまう確率を低くすることができる。
【００１７】
次に、請求項６に記載の防犯システムは、請求項１〜５の何れかに記載の防犯システムにおいて、緊急信号を送信した携帯機と、緊急信号を受信することにより警報を発した防犯装置とを管理する管理センタを備え、携帯機は、緊急信号を送信した旨を管理センタへ通知し、防犯装置は、警報を発した旨を管理センタへ通知し、管理センタは、携帯機及び防犯装置からの通知を取得し、その通知結果に基づき、携帯機と防犯装置とを管理することを特徴としている。
【００１８】
このような請求項６に記載の防犯システムによれば、緊急信号を送信した携帯機を把握することができると共に、警報を発した防犯装置を把握することができるので、被害者やその被害があった場所を特定して、その場所に警備員を派遣することができる。
【発明を実施するための最良の形態】
【００１９】
以下に、本発明の実施形態を図面と共に説明する。
図１は、本発明が適用された実施形態の防犯システム全体の構成を表す概略構成図である。また、図２は本実施形態の携帯機１０の構成を表す構成図であり、図３は本実施形態の防犯装置４０の構成を表す構成図である。
【００２０】
図１に示すように、本実施形態の防犯システムは、使用者により所持され、使用者からの操作に従い緊急信号を無線にて送信する携帯機１０と、地域に分散して配置された複数の自動販売機３０に組み込まれ、携帯機１０からの緊急信号を受信し、受信するとその周囲に警報を発する防犯装置４０と、携帯機１０及び防犯装置４０を管理する管理センタ６０とを備える。
【００２１】
携帯機１０は、屋外に設置された基地局７０及び電話回線網７２を介して音声通話を実現する電話機能を備えた携帯電話機であり、図２に示すように、ＣＰＵ，ＲＡＭ，ＲＯＭ等からなり各種制御を行う制御部１２と、相手側の電話番号を入力するためのダイヤルボタン、通話開始時に操作される通話ボタン、通話終了時に操作される切ボタン等の各種操作ボタンからなる操作部１４と、アンテナ１６を介して送受信する信号を変調復調して、基地局７０との間で無線通信を行うための無線通信部１８と、制御部１２からの指令に従い、緊急信号を超音波にて送信（発振）する緊急信号送信部２０と、を備える。
【００２２】
制御部１２には、操作部１４からの操作指令や無線通信部１８からの受信信号が入力される。
また、制御部１２は、使用者が例えば通話ボタンを長押しすることにより操作部１４から警報指令が入力されると、警報指令及び当該携帯機１０の識別情報を緊急信号送信部２０（詳しくは、後述の緊急信号生成部２４）に出力すると共に、当該携帯機１０が緊急信号を送信したことを表す送信済情報を無線通信部１８に出力する。
【００２３】
なお、本実施形態において、携帯機１０の識別情報は電話番号であり、送信済情報には識別情報（即ち電話番号）が含まれている。
無線通信部１８は、制御部１２から送信済情報が入力されると、最寄りの基地局７０及び電話回線網７２を介して管理センタ６０と接続し、送信済情報を管理センタ６０へ送信する。
【００２４】
緊急信号送信部２０は、超音波を発振する（緊急信号を送信する）ための振動子２２と、制御部１２から警報指令及び識別情報が入力されると、その入力された警報指令及び識別情報に対応したパルス列からなる緊急信号を生成する緊急信号生成部２４と、緊急信号生成部２４により生成された緊急信号を増幅して、その増幅した信号を振動子２２に出力する増幅回路２６とを備えている。
【００２５】
次に、防犯装置４０は、図３に示すように、超音波（緊急信号）を受信する振動子４２と、振動子４２により受信された超音波（緊急信号）を増幅する増幅回路４４と、増幅回路４４により増幅された緊急信号から、その信号に含まれる携帯機１０の識別情報及び警報指令を復元する復調回路４６と、復調回路４６により復元された携帯機１０の識別情報及び警報指令に基づいて各種制御を行う制御部４８と、不揮発性のメモリ５０と、制御部４８からの指令に従い警報を発する警報装置５２とを備えている。
【００２６】
制御部４８は、ＣＰＵ，ＲＡＭ，ＲＯＭを中心としたマイクロコンピュータから構成されている。
また、制御部４８は、復調回路４６により復元された携帯機１０の識別情報及び警報指令が入力されると、警報を発生させるための警報発生指令を警報装置５２に出力すると共に、その入力された識別情報に基づき、緊急信号を送信した携帯機１０を特定し、どの携帯機１０からの緊急信号に従い警報を発したのかを表す警報済情報を、広域ネットワーク（本実施形態ではインターネット）７４を介して管理センタ６０へ送信する。
【００２７】
なお、本実施形態において、警報済情報には、防犯装置４０が受信した緊急信号に含まれる携帯機１０の識別情報と防犯装置４０の識別情報とが含まれている。
また、制御部４８は、警報発生指令を警報装置５２に出力してから所定時間経過すると、警報を停止させるための警報停止指令を警報装置５２に出力する。
【００２８】
警報装置５２は、回転灯５４とスピーカ５６とからなり、制御部４８から警報発生指令が入力されると、回転灯５４を作動させることにより周囲に光を発生させ、スピーカ５６を作動させることにより周囲に警報音を発生させる。
【００２９】
また、警報装置５２は、制御部４８から警報停止指令が入力されると、回転灯５４及びスピーカ５６を停止させる。
次に、管理センタ６０には、情報を表示するための表示装置６２と、携帯機１０を所有する使用者の名前、携帯機１０の電話番号、携帯機１０が緊急信号を送信した回数を表す送信回数等の個人情報が登録された個人情報データベース（個人情報ＤＢ）６４と、防犯装置４０（即ち、自動販売機３０）が配置された場所を表す位置情報や防犯装置４０の識別情報が登録された位置情報データベース（位置情報ＤＢ）６６と、基地局７０及び電話回線網７２を介して送信されてくる携帯機１０からの送信済情報を取得すると共に、インターネット７４を介して送信されてくる防犯装置４０からの警報済情報を取得し、その警報済情報に基づき、どの携帯機１０がどの防犯装置４０を作動させたのかを特定し、その特定結果を表示装置６２に表示させる管理用コンピュータ６８とが備えられている。
【００３０】
管理用コンピュータ６８は、防犯装置４０から警報済情報を取得すると、警報済情報に含まれる携帯機１０の識別情報に対応する使用者の名前及び電話番号を個人情報ＤＢ６４から読み出すと共に、警報済情報に含まれる防犯装置４０の識別情報に対応する位置情報を位置情報ＤＢ６６から読み出し、その読み出した各情報に基づき、誰がどこに配置された防犯装置４０を作動させたのかを特定し、その特定結果を表示装置６２に表示させる。
【００３１】
これにより、管理用コンピュータ６８の使用者は、誰がどの防犯装置４０を作動させたのかを知ることができる。
次に、携帯機１０において、使用者により操作部１４が操作されたときに制御部１２で実行される処理を、図４のフローチャートを用いて説明する。
【００３２】
制御部１２が図４の処理を開始すると、まずＳ１１０にて、警報指令が入力されたか否かを判定する。
そして、Ｓ１１０にて、警報指令が入力されていないと判定した場合には、Ｓ１２０に移行して、通常の電話機能を実現するための通常用電話処理を実行し、当該処理を終了する。
【００３３】
ここで、制御部１２が実行する通常用電話処理としては、無線通信部１８から電話回線網７２に対して他の電話装置を呼び出すための発呼信号を送信させる発呼処理、基地局７０から呼出信号が送信されてきたときに、図示しないスピーカから着信音を発生させる着信処理、着信音の発生により使用者が携帯機１０を電話回線網７２に接続する指令を入力した際に、無線通信部１８を制御して、電話回線網７２を介して当該携帯機１０を呼び出した電話装置と接続する接続処理、発呼処理により呼び出した電話装置と電話回線網７２を介して接続されてその電話装置との通話が可能となったときや、接続処理により電話回線網７２を介して接続した電話装置との通話が可能となったときに、使用者が図示しないマイクから入力された音声信号を無線通信部１８から基地局７０側に送信したり、通話対象の電話装置から送信されてきた音声信号を、図示しないスピーカから音声として発生させたりする音声入出力処理等がある。
【００３４】
一方、Ｓ１１０にて、警報指令が入力されたと判定した場合には、Ｓ１３０に移行して、警報指令及び携帯機１０の識別情報を緊急信号送信部２０へ出力する。
すると、緊急信号送信部２０は、入力された警報指令及び識別情報に基づき、緊急信号を生成し、その生成した緊急信号を周囲の防犯装置４０へ送信することとなる。
【００３５】
そして、続くＳ１４０では、送信済情報を無線通信部１８に出力することにより、無線通信部１８から管理センタ６０に対して送信済情報を送信させ、当該処理を終了する。
次に、防犯装置４０の制御部４８が実行する処理について、図５のフローチャートを用いて説明する。
【００３６】
図５の処理は、防犯装置４０に動作電源が供給されている間、制御部４８にて繰り返し実行される処理であり、制御部４８がこの処理を実行すると、まずＳ２１０にて、緊急信号を受信するまで待つ。
【００３７】
そして、Ｓ２１０にて、緊急信号を受信したと判定すると、続くＳ２２０にて、緊急信号に含まれていた携帯機１０の識別情報をメモリ５０に記憶する。
そして、続くＳ２３０では、警報装置５２に対して警報発生指令を出力する。
【００３８】
すると、警報装置５２は、当該防犯装置４０の周囲に警報（本実施形態では光及び警報音）を発することとなる。
次に、Ｓ２４０では、メモリ５０に記憶した携帯機１０の識別情報と、例えばＲＯＭに予め記憶された防犯装置４０の識別情報とを含んだ警報済情報を生成し、その警報済情報を管理センタ６０へ送信する。
【００３９】
そして、Ｓ２５０では、警報装置５２に警報発生指令を出力してから所定時間経過するのを待ち、所定時間経過したと判定すると、Ｓ２６０に移行する。
Ｓ２６０では、警報装置５２に警報終了指令を出力することで、警報装置５２に警報を停止させ、更に、メモリ５０に記憶している携帯機１０の識別情報を消去して、当該処理を終了する。
【００４０】
すると、警報装置５２は、警報を発するのを止めることとなる。
次に、管理センタ６０の管理用コンピュータ６８が実行する処理について、図６のフローチャートを用いて説明する。
【００４１】
図６の処理は、管理用コンピュータ６８に動作電源が供給されている間、管理用コンピュータ６８にて繰り返し実行される処理であり、管理用コンピュータ６８がこの処理を実行すると、まずＳ３１０にて、携帯機１０からの送信済情報を受信するまで待つ。
【００４２】
そして、Ｓ３１０にて送信済情報を受信したと判定すると、続くＳ３２０にて、送信済情報に含まれる携帯機１０の識別情報に対応する送信回数を、個人情報ＤＢ６４から読み出してインクリメントする。
【００４３】
次に、Ｓ３３０では、防犯装置４０からの警報済情報を受信するまで待つ。
そして、Ｓ３３０にて、警報済情報を受信した判定すると、続くＳ３４０にて、警報情報に含まれる携帯機１０の識別情報に対応する使用者の名前を個人情報ＤＢ６４から読み出すと共に、警報情報に含まれる防犯装置４０の識別情報に対応する防犯装置４０の位置情報を位置情報ＤＢ６６から読み出し、その読み出した各情報に基づき、誰がどこに配置された防犯装置４０を作動させたのかを特定し、その特定結果を個人情報ＤＢ６４に記憶する。
【００４４】
そして、Ｓ３５０では、Ｓ３４０にて特定された特定結果を表示装置６２に表示させて、当該処理を終了する。
以上説明した防犯システムでは、使用者が操作部１４を操作することにより携帯機１０に警報指令が入力されると、携帯機１０が緊急信号を生成して送信し、その緊急信号を受信した防犯装置４０が、警報装置５２を作動することでその周囲に警報（光及び警報音）を発するようにされている。
【００４５】
このため、本実施形態の防犯システムによれば、使用者が携帯機１０を操作した後に、犯罪者によって携帯機１０を奪われてしまったとしても、携帯機１０からの緊急信号を受信した防犯装置４０が警報を発することにより、その周囲にいる人達に、使用者が危険な状態にある旨を確実に知らせることができる。
【００４６】
また、本実施形態の防犯システムによれば、どの携帯機１０がどこに配置された防犯装置４０を作動させたのかを管理用コンピュータ６８にて特定して個人情報ＤＢ６４に記憶しているので、その特定結果に基づき、当該防犯システムがいたずらに使用されたか否かを解析することができる。よって、当該防犯システムがいたずらに使用されることを防止することができる。
【００４７】
また、本実施形態の防犯システムによれば、緊急信号として、人の耳に聞こえない周波数帯である超音波を利用しているため、使用者が携帯機１０から緊急信号を送信させた際に犯罪者に気付かれてしまう確率を低くすることができる。
【００４８】
また、本実施形態の防犯システムによれば、管理用コンピュータ６８にて、緊急信号を送信した携帯機１０を把握することができると共に、警報を発した防犯装置４０を把握することができるので、被害者やその被害があった場所を特定して、その場所に警備員を派遣することができる。
【００４９】
なお、本実施形態では、振動子４２が受信手段に相当し、警報装置５２の回転灯５４及びスピーカ５６が警報手段に相当し、メモリ５０が記憶手段に相当している。
以上、本発明の一実施形態について説明したが、本発明は、種々の形態を採り得ることは言うまでもない。
【００５０】
例えば、管理センタ６０に、使用者が危険な状態にある旨を保護者や親族等に通知するのに必要な通知情報が登録された通知情報データベース（通知情報ＤＢ）を設け、管理用コンピュータ６８は、警報済情報を受信すると（Ｓ３３０：ＹＥＳ）、警報済情報に含まれている携帯機１０の識別情報に対応する通知情報を通知情報ＤＢから読み出し、その連絡先に、使用者が危険な状態にある旨を通知するように構成されていても良い。
【００５１】
このようにすれば、使用者の保護者や親族等に、使用者が危険な状態にある旨を早急に連絡することができる。
ところで、本実施形態の携帯機１０は、ＧＰＳ用の人工衛星からの送信電波を受信するＧＰＳ受信機を備え、送信済情報を管理センタ６０に送信する際、ＧＰＳ受信機によって受信された電波に基づき測位された携帯機１０の現在位置も送信するように構成されていても良い。
【００５２】
このように構成されていたとしても、上述した実施形態と同様に、管理センタ６０側で携帯機１０の現在位置（即ち、使用者の現在位置）を知ることができる。
また、携帯機１０が、可聴域の音波から超音波まで発振可能な周波数帯域を有するスピーカを備えた携帯電話機であれば、そのスピーカから緊急信号を送信するように構成することで、上記実施形態に比べて携帯機１０の構成要素を削減することができる。
【００５３】
また、本実施形態では、携帯機１０は携帯電話であると説明したが、これに限らず、使用者が携帯可能で、かつ、緊急信号を送信する機能を備えていれば、どのような構成であっても良い。
【００５４】
また、本実施形態では、緊急信号として超音波を利用していたが、これに限らず、携帯機１０は、電波を用いて緊急信号を送信するように構成されていても良いし、赤外線を用いて緊急信号を送信するように構成されていても良い。
【００５５】
また、本実施形態において防犯装置４０は、自動販売機３０に組み込まれていたが、これに限らず、地域に分散して配置されていれば、特に自動販売機に組み込まれていなくても良く、防犯装置４０単独で配置されていても良い。
【図面の簡単な説明】
【００５６】
【図１】実施形態の防犯システム全体の構成を表す概略構成図である。
【図２】携帯機の構成を表す構成図である。
【図３】防犯装置の構成を表す構成図である。
【図４】携帯機の制御部にて実行される処理を表すフローチャートである。
【図５】防犯装置の制御部にて実行される処理を表すフローチャートである。
【図６】管理用コンピュータにて実行される処理を表すフローチャートである。
【符号の説明】
【００５７】
１０…携帯機、１２…制御部、１４…操作部、１６…アンテナ、１８…無線通信部、２０…緊急信号送信部、２２…振動子、２４…緊急信号生成部、２６…増幅回路、３０…自動販売機、４０…防犯装置、４２…振動子、４４…増幅回路、４６…復調回路、４８…制御部、５０…メモリ、５２…警報装置、５４…回転灯、５６…スピーカ、６０…管理センタ、６２…表示装置、６４…個人情報ＤＢ、６６…位置情報ＤＢ、６８…管理用コンピュータ、７０…基地局、７２…電話回線網、７４…インターネット。
【図１】
2007122471.tif 000003
【図２】
2007122471.tif 000004
【図３】
2007122471.tif 000005
【図４】
2007122471.tif 000006
【図５】
2007122471.tif 000007
【図６】
2007122471.tif 000008